(57)【要約】【課題】  応援通信時、圏内の応援移動局が位置登録を行わないことを防止することができる無線通信システムを得る。【解決手段】  応援通信が可能な無線通信システムにおいて、応援通信時、基地局２から各移動局３に対して報知される網番号情報を含む報知情報を用いて応援通信受入対象の他の無線通信システムの移動局３−２に対して位置登録を促す。具体的には、報知情報に含まれる網番号情報の免許人固有定義領域を変更した報知情報を基地局２から送信することにより位置登録を促す。【選択図】      図１
2008227986.tif 000002
【特許請求の範囲】
【請求項１】
移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムであって、
前記基地局は、前記応援通信時、自局から各移動局に対して報知される位置情報を含む報知情報を用いて前記他の無線通信システムの移動局に対して位置登録を促すようにしたことを特徴とする無線通信システム。
【請求項２】
前記基地局は、前記応援通信時、前記報知情報に含まれる前記位置情報を前回の応援通信時に報知されたそれと変化させて前記報知情報を送信することにより位置登録を促すようにしたことを特徴とする請求項１記載の無線通信システム。
【請求項３】
移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの動作制御方法であって、
前記基地局において、前記応援通信時、自局から各移動局に対して報知される位置情報を含む報知情報を用いて前記他の無線通信システムの移動局に対して位置登録を促すステップを含むことを特徴とする動作制御方法。
【請求項４】
前記ステップは、前記応援通信時、前記報知情報に含まれる前記位置情報を前回の応援通信時に報知されたそれと変化させて前記報知情報を送信することにより位置登録を促すようにしたことを特徴とする請求項３記載の動作制御方法。
【請求項５】
移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの基地局であって、
前記応援通信時、自局から各移動局に対して報知される位置情報を含む報知情報を用いて前記他の無線通信システムの移動局に対して位置登録を促すようにしたことを特徴とする基地局。
【請求項６】
前記応援通信時、前記報知情報に含まれる前記位置情報を前回の応援通信時に報知されたそれと変化させて前記報知情報を送信することにより位置登録を促すようにしたことを特徴とする請求項５記載の基地局。
【請求項７】
移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの基地局の動作制御方法をコンピュータに実行させるためのプログラムであって、
前記応援通信時、自局から各移動局に対して報知される位置情報を含む報知情報を用いて前記他の無線通信システムの移動局に対して位置登録を促す処理を含むことを特徴とするプログラム。
【発明の詳細な説明】
【技術分野】
【０００１】
本発明は無線通信システム、動作制御方法、基地局及びプログラムに関し、特に災害発生時などに応援通信（近隣の無線通信システムとの相互接続通信）が可能な公共業務用無線通信システムに関する。
【背景技術】
【０００２】
図１に示すように、従来の応援通信が可能な無線通信システムは、回線制御装置１と複数の基地局２−１〜２−３からなる統制局１０と、複数の移動局３−１及び３−２とから構成され、各移動局３は所属する基地局２の情報を回線制御装置１に通知するため位置登録を行う。なお、図１は本発明の実施例による無線通信システムの構成を示す図であるが、基本的な構成は従来の無線通信システムと同様であるため、図１を用いて説明する。
【０００３】
ここで、当該システムが応援通信の受入を設定すると、各基地局２から自局のエリア（無線通信範囲）内に存在する移動局３に対して報知される報知情報を用いてその旨が報知される。当該システムのエリア内に存在する応援通信受入対象の他の無線通信システムの移動局（以下、応援移動局と称する）３−２は、報知情報を受信することにより初めて圏内になって、基地局２を介して回線制御装置１に対して位置登録を行う（例えば特許文献１参照）。
【０００４】
応援移動局３−２からの位置登録を受け付けた回線制御装置１は、応援移動局３−２の位置情報を管理し、この情報を基に通信接続を制御する。そして、当該システムが応援通信を解除すると、応援移動局３−２は圏外になり、回線制御装置１は応援移動局３−２の位置情報を破棄する。
【０００５】
【特許文献１】特開２００３−０７８９４８号公報
【発明の開示】
【発明が解決しようとする課題】
【０００６】
移動局３は、基地局２から報知される報知情報が自端末情報と合致すると（すなわち、応援移動局３−２の場合、自端末が応援通信受入対象であることを検出すると）、圏内になる。そして、移動局３は、報知情報に含まれる位置情報である網番号情報（基地局番号（基地局識別子）を含む）を基に、別の基地局エリアに移動したことを検出すると、位置登録を行う。なお、初めて圏内になった場合は、移動局３は網番号情報を受信すると、初めてであるので別の基地局エリアに移動したと認識し、位置登録を行うことになる。
【０００７】
ここで、上述したように、当該システムが応援通信の受入設定をした場合、当該システムのエリア内に存在する応援移動局３−２は初めて圏内になり、位置登録を行うが、当該システムが応援通信を解除すると、応援移動局３−２は圏外になり、回線制御装置１は応援移動局３−２の位置情報を削除する。
【０００８】
次に、当該システムのエリア内に存在する応援移動局３−２がそのままの位置に滞在したまま、当該システムが再び応援通信の受入設定をした場合、応援移動局３−２は、再び圏内になるが網番号情報の変化が無いため、位置登録を行わない。
【０００９】
このとき、応援移動局３−２は圏内にもかかわらず、回線制御装置１に位置情報がないため、通信接続をすることができないという問題がある。
【００１０】
本発明の目的は、応援通信時、圏内の応援移動局が位置登録を行わないことを防止することができる無線通信システム、動作制御方法、基地局及びプログラムを提供することである。
【課題を解決するための手段】
【００１１】
本発明による無線通信システムは、移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムであって、前記基地局は、前記応援通信時、自局から各移動局に対して報知される位置情報を含む報知情報を用いて前記他の無線通信システムの移動局に対して位置登録を促すようにしたことを特徴とする。
【００１２】
また、前記無線通信システムにおいて、前記基地局は、前記応援通信時、前記報知情報に含まれる前記位置情報を前回の応援通信時に報知されたそれと変化させて前記報知情報を送信することにより位置登録を促すようにしたことを特徴とする。
【００１３】
本発明による動作制御方法は、移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの動作制御方法であって、前記基地局において、前記応援通信時、自局から各移動局に対して報知される位置情報を含む報知情報を用いて前記他の無線通信システムの移動局に対して位置登録を促すステップを含むことを特徴とする。
【００１４】
本発明による基地局は、移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの基地局であって、前記応援通信時、自局から各移動局に対して報知される位置情報を含む報知情報を用いて前記他の無線通信システムの移動局に対して位置登録を促すようにしたことを特徴とする。
【００１５】
本発明によるプログラムは、移動局と、基地局と、前記基地局の上位局である制御局とを含み、前記制御局は応援通信時、前記応援通信対象の他の無線通信システムの移動局からの前記基地局を介した位置登録を受け付け、前記応援通信が解除されると前記他の無線通信システムの移動局の位置情報を削除する無線通信システムの基地局の動作制御方法をコンピュータに実行させるためのプログラムであって、前記応援通信時、自局から各移動局に対して報知される位置情報を含む報知情報を用いて前記他の無線通信システムの移動局に対して位置登録を促す処理を含むことを特徴とする。
【００１６】
このように、本発明では、応援通信が可能な無線通信システムにおいて、応援通信時、基地局から各移動局に対して報知される位置情報を含む報知情報を用いて応援通信対象の他の無線通信システムの移動局に対して位置登録を促すようにしている。
【発明の効果】
【００１７】
本発明によれば、応援通信が可能な無線通信システムにおいて、応援通信時、基地局から各移動局に対して報知される位置情報を含む報知情報を用いて応援通信対象の他の無線通信システムの移動局に対して位置登録を促すようにしているので、応援通信時、圏内の応援移動局が位置登録を行わないことを防止することができるという効果が得られる。
【発明を実施するための最良の形態】
【００１８】
以下、本発明の実施例について図面を参照して説明する。
【００１９】
図１は本発明の実施例による無線通信システムの構成を示す図である。図１において、本発明の実施例による無線通信システムは、基地局２−１〜２−３とこれら基地局２−１〜２−３の上位局である回線制御装置１とを有する統制局１０と、移動局３−１及び３−２とを含んで構成される。
【００２０】
各基地局２は、自局のエリア内に存在する全移動局に対して報知情報を周期的に送信しており、この報知情報には位置情報である網番号情報が含まれている。図２は報知情報に含まれる網番号情報の構成を示す図である。図２において、網番号情報は、免許人固有定義領域１００と、製造者番号１１０と、制御ゾーン番号１２０と、基地局番号１３０と、システムコード１４０とを含んで構成される。
【００２１】
各移動局３は、基地局２から報知される報知情報が自端末情報と合致すると圏内になって、報知情報に含まれる網番号情報を基に、別の基地局エリアに移動したことを検出すると、位置登録を行う。各移動局３は、位置登録を所属するエリアの基地局２を介して回線制御装置１に対して行い、位置登録を受け付けた回線制御装置１は、移動局３の位置情報を管理し、この情報を基に通信接続を制御する。
【００２２】
本実施例による無線通信システムが応援通信の受入設定を行うと、各基地局２から報知される報知情報を用いてその旨が報知される。このとき、各基地局２は、報知情報に含まれる網番号情報を前回の応援通信時に報知されたそれとは変化させることにより、網番号情報を更新し、この更新された網番号情報を含む報知情報を送信する。具体的には、図２に示した網番号情報の一部を変更することにより、例えば免許人固有定義領域１００を変更することにより、網番号情報を更新する。
【００２３】
応援通信受入対象の他の無線通信システムの移動局（以下、応援移動局と称する）３−２は、報知情報を受信することにより圏内となり、また、報知情報に含まれる更新された網番号情報を基に、別の基地局エリアに移動したことを検出して（網番号情報の変更を検出して）、位置登録を行う。
【００２４】
応援通信が解除されると、応援移動局３−２は圏外になり、回線制御装置１は応援移動局３−２の位置情報を削除する。
【００２５】
図３は本発明の実施例による無線通信システムの動作を示すフローチャートである。図３において、本実施例による無線通信システムが応援通信の受入設定を行うと、各基地局２は報知情報を用いてその旨を報知する。このとき、各基地局２は、前回の応援通信時から網番号情報を変化させて報知情報を送信する（ステップＳ１）。なお、この報知情報は周期的に送信される。また、最初の応援通信の場合には、網番号情報を変化させなくてもよいことは勿論である。
【００２６】
そして、各基地局２は、報知情報を受信した応援移動局３−２からの位置登録要求を受信すると、これを回線制御装置１に転送する（ステップＳ２）。これにより、回線制御装置１は、応援移動局３−２の位置情報を管理して通信接続を制御することになる。
【００２７】
以上説明したように、本発明の実施例では、応援通信が設定されて圏内になって位置登録を行い、その後、応援通信が解除されて圏外になった応援移動局３−２が、再び応援通信が設定されて圏内になった場合にも、網番号情報の基地局番号１３０は変わらないが、免許人固有定義領域１００を含む網番号情報が更新されているため、位置登録を促されることになるので、位置登録を行わないことを防止することができる。
【００２８】
なお、図３に示したフローチャートに従った基地局２の処理動作は、該装置において、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００２９】
【図１】本発明の実施例による無線通信システムの構成を示す図である。
【図２】報知情報に含まれる網番号情報の構成を示す図である。
【図３】本発明の実施例による無線通信システムの動作を示すフローチャートである。
【符号の説明】
【００３０】
１    回線制御装置
２−１〜２−３    基地局
３−１，３−２    移動局
１０    統制局
１００    免許人固有定義領域
１１０    製造者番号
１２０    制御ゾーン番号
１３０    基地局番号
１４０    システムコード
【図１】
2008227986.tif 000003
【図２】
2008227986.tif 000004
【図３】
2008227986.tif 000005